(57)【特許請求の範囲】
【請求項１】
シート状の蓄冷剤を二つ折りして吊り下げて支持する方形状をなす複数の支持枠が所定間隔を開けて並設された構造であって、凍結庫内において複数段に亘って装着されるようにしたラックにおいて、
前記蓄冷剤が隣り合った上下のラックの間から挿入されて下側のラックの前記支持枠に掛けられ、
前記蓄冷剤を挿入する部分が、手前側に広がるように口を開けた形態となるように、前記上側のラックの前記支持枠における前枠の下側、若しくは前記下側のラックの前記支持枠における前枠の上側の角部に面取形状が施されていることを特徴とする蓄冷剤用ラック。
【請求項２】
前記支持枠が、前記蓄冷剤を吊り下げる水平枠と、同水平枠の奥端から垂下された後枠と、前記水平枠の前端から垂下されたのち奥側に屈曲された前枠とから構成されており、この支持枠が並設されてそれぞれの下端側が本体枠に連結されることで当該ラックが形成されていることを特徴とする請求項１記載の蓄冷剤用ラック。
【請求項３】
前記支持枠における前枠と後枠との間には、吊り下げられた蓄冷剤における両側に振り分けられた部分の対向面に当接して、両振り分けられた部分の対向面が互いに接近する方向に張り出すことを規制しつつ、凍結した蓄冷剤を引き出す際に前記前枠に引っ掛からないように沿わせる規制バーが渡されていることを特徴とする請求項１または請求項２記載の蓄冷剤用ラック。
【発明の詳細な説明】
【技術分野】
【０００１】
本発明は、シート状の蓄冷剤を吊り下げ支持して凍結庫内で凍結させることに用いる蓄冷剤用ラックに関する。
【背景技術】
【０００２】
蓄冷剤の一形態として、短冊状の蓄冷部材を複数連ねて方形のシート状としたものが知られており、このような蓄冷剤を凍結することに使用する蓄冷剤凍結庫として、下記特許文献１に記載されたものが知られている。  
このものは、シート状の蓄冷剤を二つ折りして吊り下げて支持する側面方形状をなす複数の支持枠を所定間隔を開けて並設したラックを備え、このラックが凍結庫内において複数段に亘って装着された構造であって、シート状の蓄冷剤を下向きに二つ折りした状態で前方から挿入しつつ、折曲部分を支持枠の上枠に掛けて吊り下げ支持し、庫内に冷気を供給することで蓄冷剤を凍結するようになっている。
【先行技術文献】
【特許文献】
【０００３】
【特許文献１】特開２０１１−７３８９号公報
【発明の概要】
【発明が解決しようとする課題】
【０００４】
上記のような凍結庫において、一度に多量の蓄冷剤を凍結処理するためには、ラックを上下方向に詰めてより多段に配設することが有効であるが、上下のラックの間隔が狭くなるため、二つ折りした蓄冷剤を支持枠の上枠に掛ける作業がし難いという問題があった。
本発明は上記のような事情に基づいて完成されたものであって、その目的は、蓄冷剤を支持する作業を容易に行えるようにしたラックを提供するところにある。
【課題を解決するための手段】
【０００５】
本発明は、シート状の蓄冷剤を二つ折りして吊り下げて支持する方形状をなす複数の支持枠が所定間隔を開けて並設された構造であって、凍結庫内において複数段に亘って装着されるようにしたラックにおいて、前記支持枠における前枠の下側若しくは上側の角部に面取形状が施されている構成としたところに特徴を有する。  
二つ折りした蓄冷剤を上下のラックの間から挿入して下側のラックの支持枠に掛けるに当たり、同蓄冷剤の挿入部分が手前側に広がるように口を開けた形態となるから、蓄冷剤を挿入しひいては支持枠に掛ける作業がしやすくなる。
【０００６】
また、以下のような構成としてもよい。  
（１）前記支持枠が、前記蓄冷剤を吊り下げる水平枠と、同水平枠の奥端から垂下された後枠と、前記水平枠の前端から垂下されたのち奥側に屈曲された前枠とから構成されており、この支持枠が並設されてそれぞれの下端側が本体枠に連結されることで当該ラックが形成されている。  
ラックが複数段に装着された場合、下側のラックの支持枠における水平枠の前端部の上方に、上側のラックの前枠の屈曲部との間において手前側に広がったスペースができる。二つ折りされた蓄冷剤は、対応するラックの支持枠の水平枠に対して広いスペースを通して挿入されて掛けられる。支持枠に掛ける作業がしやすいことに加えて、蓄冷剤を実際に掛ける水平枠の長さは大きく取れるから、蓄冷剤をより安定して吊り下げることができる。
【０００７】
（２）前記支持枠における前枠と後枠との間には、吊り下げられた蓄冷剤における両側に振り分けられた部分の対向面に当接して、両振り分けられた部分の対向面が互いに接近する方向に張り出すことを規制する規制バーが渡されている。  
蓄冷剤は、ゲル化剤が樹脂シート内に充填されたものであって、凍結されるとゲル化剤が体積膨張して厚さが増した硬いものとなる。そのため、蓄冷剤が、支持枠の前枠よりも奥側で吊り下げられた状態で凍結されると、蓄冷剤の両側に振り分けられた部分の対向面が互いに接近する方向に張り出した状態となり、そうすると、蓄冷剤を水平枠に沿って引き出す場合に、蓄冷剤が前枠に引っ掛かるおそれがある。  
それに対して本構成では、規制バーに当たることで蓄冷剤の両側に振り分けられた部分の対向面が互いに接近する方向に張り出すことが規制され、言い換えると、両側に振り分けられた部分が前枠に対して正面から視た左右両側に外れた位置に留められ、凍結した蓄冷剤は、規制バーに沿うようにして前枠に引っ掛かることなくスムーズに引き出される。
【発明の効果】
【０００８】
本発明のラックを使用すれば、蓄冷剤を支持枠に吊り下げて支持する作業を容易に行うことができる。
【図面の簡単な説明】
【０００９】
【図１】本発明の実施形態１に係る凍結庫の側断面図
【図２】開扉状態の凍結庫の正面図
【図３】ハンガーラックの斜視図
【図４】同正面図
【図５】同平面図
【図６】同側面図
【図７】同右奥隅部の拡大平面図
【図８】スタンドラックの斜視図
【図９】同正面図
【図１０】同平面図
【図１１】同側面図
【図１２】本体枠の右奥隅部の拡大平面図
【図１３】図１０のＸ矢視拡大図
【図１４】図１０のＹ矢視拡大図
【図１５】ハンガーラックの装着構造を示す平面図
【図１６】スタンドラックの装着構造を示す平面図
【図１７】マット状蓄冷剤の支持動作を示す側面図
【図１８】実施形態２のハンガーラックを用いた場合におけるマット状蓄冷剤の支持動作を示す側面図
【図１９】実施形態３のハンガーラックを用いた場合におけるマット状蓄冷剤の支持動作を示す側面図
【図２０】実施形態４のハンガーラックの側面図
【図２１】同ハンガーラックの使用形態を示す一部切欠正面図
【図２２】実施形態５のハンガーラックの側面図
【図２３】同ハンガーラックの使用形態を示す一部切欠正面図
【発明を実施するための形態】
【００１０】
＜実施形態１＞
本発明の実施形態１を図１ないし図１７によって説明する。  
本実施形態に係る蓄冷剤凍結庫１０は、図１及び図２に示すように、前面開口の縦長の断熱箱体からなる凍結庫本体１１を有し、内部が凍結室１２とされて、底面の四隅に設けられた脚１３で支持されている。凍結室１２の前面開口部１４には、断熱扉１５が一方の縦縁（例えば右側縁）を中心とした揺動開閉可能に装着されている。  
凍結庫本体１１の上面には機械室１６が設けられ、同機械室１６内には、圧縮機１８、空冷式の凝縮器１９等からなる冷凍装置１７等が装備されている。
【００１１】
凍結室１２の天井部の奥側寄りの位置には、ドレンパンを兼ねたダクトパネル２０が張られることで冷却器室２１が区画形成されており、同冷却器室２１の手前側の位置には吸込口２２が、奥側には吹出口２３がそれぞれ形成されている。冷却器室２１内には冷却器２５が収容され、上記の機械室１６内に装備された冷凍装置１７と冷媒配管で接続されて冷凍サイクルが構成されているとともに、吸込口２２に臨んで庫内ファン２６が装着されている。  
そして、冷凍装置１７を運転しつつ庫内ファン２６を駆動すると、詳しくは後記するように、凍結室１２の庫内空気が吸込口２２から冷却器室２１内に吸引され、その空気が冷却器２５を流通する間に熱交換によって冷気が生成され、その冷気が吹出口２３から凍結室１２の奥壁１２Ａに沿うようにして吹き出され、凍結室１２内に冷気が循環供給されるようになっている。
【００１２】
凍結室１２内には、蓄冷剤がラックに対して整列して支持されて収納されるようになっている。  
この実施形態では基本的には、２種類のシート状の蓄冷剤Ａ，Ｂが適用されるようになっている。第１の蓄冷剤Ａは、樹脂シート内にゲル化剤が充填された短冊状をなす蓄冷部材ａが４枚連ねられた形状であって、二つ折り可能とされている。以下、第１の蓄冷剤Ａをマット状蓄冷剤Ａという。  
第２の蓄冷剤Ｂは、同じく樹脂シート内にゲル化剤が充填されて単体の短冊状に形成されている。以下、第２の蓄冷剤Ｂを短冊状蓄冷剤Ｂという。この実施形態の短冊状蓄冷剤Ｂは、上記マット状蓄冷剤Ａを構成する蓄冷部材ａと比べて、長さと厚さが同じである反面、幅が半分強に留まっている。
【００１３】
マット状蓄冷剤Ａは、第１のラック４０に対して吊り下げられて支持されるようになっている。以下、第１のラック４０をハンガーラック４０という。  
一方、短冊状蓄冷剤Ｂは、第２のラック５０に対して立て掛けられて支持されるようになっている。以下、第２のラック５０をスタンドラック５０という。  
これらのラック４０，５０を凍結室１２内に装着する手段として、凍結室１２の奥壁１２Ａの左右両端部と、左右の側壁１２Ｂにおける前面開口部１４から所定寸法入った位置に、合計４本の棚柱３０が立てられており、各棚柱３０における同じ高さ位置に棚受金３２が装着されて、それらのラック４０，５０が支持されるようになっている。
【００１４】
詳細には、棚受金３２は、図１５及び図１７に示すように、水平な載置板３３の先端から支え板３４が斜め下方に折り返された形状であり、かつ載置板３３には掛止片３５が垂直に切り起こし形成されている。棚受金３２は、載置板３３と支え板３４に設けられた取付爪（図示せず）を、棚柱３０に列設された取付孔３１の上下２個に亘って嵌めることで装着されるようになっている。  
この実施形態では、凍結室１２内における上側の略３／４の領域に、ハンガーラック４０が３段に亘って装着され、残りの下側の領域に、スタンドラック５０が２段に亘って装着されている。なお下側のスタンドラック５０は、凍結室１２の底面上に直に載せられている。
【００１５】
次に、ラックの形状について詳細に説明する。  
ハンガーラック４０は、図３ないし図７に示すように、共に鋼線等の金属線材を素材として形成された本体枠４１と、マット状蓄冷剤Ａを二つ折りして吊り下げて支持する複数個（図示８個）の支持枠４５とから構成されている。  
本体枠４１は、前縁と左右の側縁とからなる平面門形をなす三方枠４２と、後縁枠４４とから構成され、三方枠４２の左右の側縁の奥端部では、内向きの鈎形に屈曲された被掛止部４３が形成されている。後縁枠４４は、上記した三方枠４２における左右の被掛止部４３の折り返し部４３Ａの間に亘る長さを有し、両端には、折り返し部４３Ａより所定寸法短い屈曲部４４Ａが直角曲げされている。三方枠４２の両被掛止部４３の間には、折り返し部４３Ａと屈曲部４４Ａの先端同士を揃えた形態で後縁枠４４が差し渡され、溶接により結合されることで本体枠４１が形成されている。  
本体枠４１は、凍結室１２の間口にほぼ匹敵する横幅と、同凍結室１２の奥行よりも所定寸法小さい奥行寸法を有する平面方形状に形成され、かつ、左右両側縁の奥端に形成された被掛止部４３が、後縁枠４４よりも所定寸法後方に突出した形状となっている。
【００１６】
支持枠４５は、前後方向に延びた水平枠４６の前後両端に、前枠４７と後枠４８とを下向きに形成した形状であって、後枠４８が直角に下向きに曲げられているのに対して、前枠４７は、直角に下向きに曲げられたのち（垂下部４７Ａ）、中央高さより少し下方位置から奥側に向けて斜め（４５°）に屈曲された（傾斜部４７Ｂ）形状となっている。  
上記した支持枠４５は、隣り合う２個の前枠４７の下端同士と、後枠４８の下端同士がそれぞれ連結枠４５Ａで連結されることにより、所定間隔を開けて一体的に形成されている。
【００１７】
上記した支持枠４５の対が４組、各組間に上記した両支持枠４５の間隔に等しい間隔を取って左右方向に並べられ、本体枠４１における左右の側縁よりも少し内側に入った領域において同本体枠４１上に載せられる。詳細には、各支持枠４５の対における前側の連結枠４５Ａが三方枠４２の前縁上に載せられ、また後側の連結枠４５Ａが後縁枠４４上に載せられ、それぞれ溶接によって固定されている。  
以上により、本体枠４１の上面における左右の側縁の少し内側の領域において、図示８個の支持枠４５が一定間隔を開けて左右方向に並んで設けられ、かつ、各支持枠４５における手前側の一部、すなわち手前側の端縁から前枠４７の傾斜部４７Ｂの下端までの奥行領域が、本体枠４１の前縁の手前側に突出した形状となる。
【００１８】
ここで、支持枠４５における水平枠４６の前後方向の長さ寸法は、マット状蓄冷剤Ａの縦幅の２倍弱であり、水平枠４６までの高さ寸法は、マット状蓄冷剤Ａの長さの半分強である。  
また、各支持枠４５における後枠４８の内側の面には、同じく金属線材からなる規制枠４９が、ほぼ中央高さ位置において全幅に亘って当てられ、溶接により固定されている。
【００１９】
次に、スタンドラック５０について図８ないし図１４によって説明する。  
スタンドラック５０は大まかには、それぞれ鋼線等の金属線材を素材として形成された本体枠５１と、複数の支持枠５５（図示１５個）と、受け枠６２とから構成されている。
本体枠５１は、前縁と左右の側縁とからなる平面門形をなす三方枠５２と、後縁枠５４とから構成されている。三方枠５２の左右の側縁の奥端部では、内向きの鈎形に屈曲された被掛止部５３が形成され、かつ同被掛止部５３の折り返し部５３Ａの先端部が、互いに対向する方向に直角曲げされている（屈曲部５３Ｂ）。後縁枠５４は、本体枠５１の左右の側縁の間に亘る長さを有している。後縁枠５４は、左右の被掛止部５３における屈曲部５３Ｂの内側に当てられた形態で、本体枠５１における左右の側縁の奥端部の間に差し渡され、溶接により結合されることで本体枠５１が形成されている。  
本体枠５１は、凍結室１２の間口にほぼ匹敵する横幅と、同凍結室１２の奥行よりも所定寸法小さい奥行寸法を有する平面方形状に形成され、かつ、左右両側縁の奥端に形成された被掛止部５３が、後縁枠５４よりも所定寸法後方に突出した形状となっている。
【００２０】
支持枠５５は、前後方向に延びた水平枠５６の前端に前枠５７が一体形成された形状であり、水平枠５６の長さ方向の中央部における所定長さ領域には、所定深さを有する方形状の凹陥部５８が形成されている。前枠５７は、水平枠５６の前縁から凹陥部５８の深さ寸法だけ垂下したのち、その下端部が奥側に直角曲げされた（屈曲部５７Ａ）形状となっている。  
上記の支持枠５５は、一定間隔を開けて左右方向に並んで配されるが、各支持枠５５の水平枠５６の後端を連結する連結枠５９が設けられている。連結枠５９は、本体枠５１の左右の側縁の間に亘る長さを有する一方、両端にはＬ字形をなす脚枠６０が互いに向き合う姿勢で形成されている。
【００２１】
上記のように１５個の支持枠５５が所定間隔を開けて並んで配され、各水平枠５６の後端の下面側に連結枠５９が当てられて溶接により固定されることで、１５個の支持枠５５が仮組みされる。このような仮組みされた支持枠５５が本体枠５１上に載せられ、各支持枠５５における前枠５７の屈曲部５７Ａの先端が、本体枠５１の前縁の上面に当てられて溶接により固定される。このとき、連結枠５９の両端の脚枠６０が、本体枠５１の左右の奥端部に形成された被掛止部５３の突出端の少し手前側に対応するため、同脚枠６０の下辺が被掛止部５３に載せられて溶接で固定される。
【００２２】
また、本体枠５１の左右の側縁の間に亘るようにして、４本の受け枠６２が設けられる。前側の２本の受け枠６２は、本体枠５１の前縁から少し奥に入った位置と、凹陥部５８の前縁寄りの位置とにそれぞれ配されて溶接で固定される。後側の２本の受け枠６２は、凹陥部５８の後縁寄りの位置と、同位置と後縁枠５４との中間位置とにそれぞれ配されて、同じく溶接で固定される。
【００２３】
以上により、本体枠５１の上面における左右の側縁の少し内側の領域において、図示１５個の支持枠５５が一定間隔を開けて左右方向に並んで設けられ、かつ、各支持枠５５における手前側の一部、すなわち手前側の端縁から前枠５７の屈曲部５７Ａの先端までの奥行領域が、本体枠５１の前縁の手前側に突出し、また、本体枠５１の左右の奥端部に形成された被掛止部５３の突出端側の所定領域が連結枠５９並びにその脚枠６０の位置から奥側に突出した形態となる。また、手前側と奥側に分かれた各領域において、それぞれ２本ずつの受け枠６２が設けられる。  
ここで、支持枠５５における水平枠５６の前後方向の長さ寸法は、短冊状蓄冷剤Ｂの長さの２倍弱であり、水平枠５６までの高さ寸法は、短冊状蓄冷剤Ｂの幅よりも少し小さい寸法である。また、前側の２本の受け枠６２の間隔は、短冊状蓄冷剤Ｂの長さの６割程度であり、後側の２本の受け枠６２の間隔は、前側の間隔の２／３程度である。
【００２４】
短冊状蓄冷剤Ｂは、奥側の領域では、後側の２本の受け枠６２並びに後縁枠５４で受けられつつ、隣り合う支持枠５５における凹陥部５８よりも奥側の部分の間に立て掛けられた形態で支持され、一方手前側の領域では、前側の２本の受け枠６２並びに本体枠５１の前縁で受けられつつ、隣り合う支持枠５５における凹陥部５８よりも手前側の部分の間に立て掛けられた形態で支持されるようになっている。すなわち、本実施形態のスタンドラック５０では、手前側と奥側の二領域において、短冊状蓄冷剤Ｂを立て掛けた形態で支持し得る支持領域が構成されている。
【００２５】
続いて、本実施形態の作用を説明する。  
凍結室１２内には、上部側にハンガーラック４０が３段に亘り、その下方にスタンドラック５０が２段に亘って装着される。  
ハンガーラック４０は、図１５に示すように、奥縁の左右両端部に設けられた被掛止部４３が、奥壁１２Ａの左右の棚柱３０に取り付けられた棚受金３２に載せられて掛止片３５に掛止され、また、本体枠５１における前縁の左右の隅部が、左右の側壁１２Ｂの棚柱３０に取り付けられた棚受金３２に載せられて掛止片３５に掛止され、これによりハンガーラック４０は前後並びに左右方向に移動不能に位置決めされて装着される。ハンガーラック４０は、３段に亘って極力上下方向の間隔を詰めた状態で装着される。
【００２６】
このとき、図１７に示すように、上下に並んだハンガーラック４０において、下側のハンガーラック４０の支持枠４５における水平枠４６の前端部の上方に、上側のハンガーラック４０の前枠４７の傾斜部４７Ｂとの間において手前側に広がったスペースＳができる。  
また、ハンガーラック４０の支持枠４５における前枠４７（垂下部４７Ａ）と、閉扉された場合の断熱扉１５の裏面との間には、所定（棚柱３０の幅程度）のスペースが確保されるとともに、支持枠４５の後枠４８と奥壁１２Ａとの間にも、前側と同程度のスペースが確保される。
【００２７】
一方、２個のスタンドラック５０のうち上側のスタンドラック５０は、図１６に示すように、奥縁の左右両端部に設けられた被掛止部５３が、奥壁１２Ａの左右の棚柱３０に取り付けられた棚受金３２に載せられて掛止片３５に掛止され、また、一番前の受け枠６２と本体枠５１における左右の側縁とが交差した隅部が、左右の側壁１２Ｂの棚柱３０に取り付けられた棚受金３２に載せられて掛止片３５に掛止され、これにより、上側のスタンドラック５０は前後並びに左右方向に移動不能に位置決めされて装着される。  
このとき、スタンドラック５０の支持枠５５における前枠５７と、閉扉された場合の断熱扉１５の裏面との間には、ハンガーラック４０側と同程度のスペースが確保されるとともに、奥縁の連結枠５９と奥壁１２Ａとの間にも、同程度のスペースが確保される。
【００２８】
下側のスタンドラック５０は、凍結室１２の底面に直接に載せられる。なお、図１に示すように、凍結室１２の底面には、手前側に向けて下り勾配となった凹面１２Ｃが形成されており、スタンドラック５０における本体枠５１の前縁が凹面１２Ｃの前縁の内側に嵌って係止されることで、スタンドラック５０が手前側へ抜けることが規制されるようになっている。
【００２９】
次に、マット状蓄冷剤Ａはハンガーラック４０に、短冊状蓄冷剤Ｂはスタンドラック５０にそれぞれ支持される。  
マット状蓄冷剤Ａは下向きに二つ折りされたのち、図１７の矢線に示すように、その折曲部をハンガーラック４０における対応する支持枠４５の水平枠４６の前端部に掛け、同水平枠４６に沿って押し込むと、規制枠４９に当たったところで押し込みが停止される。これにより二つ折りされたマット状蓄冷剤Ａが、支持枠４５の奥側の領域において吊り下げられた形態で支持される。  
支持枠４５の手前側の領域にマット状蓄冷剤Ａを支持する場合は、同様に下向きに二つ折りしたのち、同折曲部を対応する支持枠４５における水平枠４６に掛け、その後縁側を奥側の領域で支持されているマット状蓄冷剤Ａの前縁側とオーバラップさせつつ、その前縁が支持枠４５の前枠４７（垂下部４７Ａ）と揃う位置まで押し込むことにより、支持枠４５の手前側の領域で吊り下げられた形態で支持される（同図の上段参照）。
【００３０】
ここで、特に上から二段目と三段目のハンガーラック４０では、上下の間隔が狭いと、二つ折りされたマット状蓄冷剤Ａを支持枠４５に掛ける作業がし難いと言えるが、この実施形態では、二段目と三段目のハンガーラック４０におけるマット状蓄冷剤Ａを挿入する部分が、手前側に広がるように口を開けた形態となるから、二つ折りされたマット状蓄冷剤Ａを挿入し、ひいては支持枠４５の水平枠４６に掛ける作業がしやすい。
【００３１】
マット状蓄冷剤Ａが、上記した要領で、各段のハンガーラック４０についてそれぞれ奥側と手前側において吊り下げられた形態で支持された場合、奥側に支持されたマット状蓄冷剤Ａの後縁は、規制枠４９に当たることでそれ以上奥側に押し込まれることが規制され、言い換えると奥側のマット状蓄冷剤Ａの後縁と奥壁１２Ａとの間には、所定間隔の冷気通路６５が確保される。  
一方、手前側に支持されたマット状蓄冷剤Ａは、その前縁を支持枠４５の前枠４７の垂下部４７Ａに揃えた形態で吊り下げ支持されているから、手前側のマット状蓄冷剤Ａの前縁と閉扉された断熱扉１５の裏面との間にも、所定間隔の冷気通路６６が確保されることになる。
【００３２】
短冊状蓄冷剤Ｂをスタンドラック５０に支持する場合は、短冊状蓄冷剤Ｂが断面の長辺側を立てて水平に倒した姿勢とされて、上側のスタンドラック５０における隣り合う支持枠５５の間に挿入され、その後縁が連結枠５９に当たったところで押し込みが停止され、同短冊状蓄冷剤Ｂは、奥側の領域において、後側の２本の受け枠６２並びに後縁枠５４で受けられつつ、隣り合う支持枠５５における凹陥部５８よりも奥側の部分の間に立て掛けられた形態で支持される。  
手前側の領域に支持する場合は、短冊状蓄冷剤Ｂが上記と同じ姿勢において、隣り合う支持枠５５の間に挿入され、その後縁側を奥側の領域で支持されている短冊状蓄冷剤Ｂの前縁側とオーバラップさせつつ、その前縁が支持枠５５の前枠５７と揃う位置まで押し込まれることにより、同短冊状蓄冷剤Ｂは、前側の２本の受け枠６２並びに本体枠５１の前縁で受けられつつ、隣り合う支持枠５５における凹陥部５８よりも手前側の部分の間に立て掛けられた形態で支持される。
【００３３】
下側のスタンドラック５０についても、上記と同様に、短冊状蓄冷剤Ｂが手前側と奥側の領域でそれぞれ立て掛けられた形態で支持される。  
このとき、スタンドラック５０の奥側の領域に支持された短冊状蓄冷剤Ｂの後縁と奥壁１２Ａとの間、並びに手前側の領域に支持された短冊状蓄冷剤Ｂの前縁と、閉扉された断熱扉１５の裏面との間に、上記の冷気通路６５，６６に繋がる冷気通路が確保される。
【００３４】
蓄冷剤Ａ，Ｂの収納が完了したら、断熱扉１５が閉じられたのち冷却運転が開始される。すなわち、冷凍装置１７と庫内ファン２６とが駆動されると、図１の矢線に示すように、吸込口２２から吸い込まれた庫内空気が冷却器２５を通過する間に冷気が生成され、その冷気が吹出口２３から奥壁１２Ａの表面の冷気通路６５に向けて吹き出されたのち、各段のラック４０，５０に支持された蓄冷剤Ａ，Ｂを通って前方に吹き抜け、そののち断熱扉１５の裏面の冷気通路６６に沿って立ち上がるように循環供給され、これにより収納された蓄冷剤Ａ，Ｂが凍結されることになる。  
収納された蓄冷剤群の前面側と後面側に冷気通路６５，６６が確保されているから、冷気が凍結室１２内の全域に亘ってスムーズに循環供給され、全蓄冷剤Ａ，Ｂが均一にかつ高速度で凍結される。  
凍結が完了したら、断熱扉１５を開けたのち、収納時とは逆の手順によって、蓄冷剤Ａ，Ｂを対応するラック４０，５０から引き抜きつつ庫外に取り出せばよい。
【００３５】
本実施形態の効果は以下のようである。上下に並んだハンガーラック４０のうち下側のハンガーラック４０にマット状蓄冷剤Ａを支持する場合には、図１７に示すように、二つ折りしたマット状蓄冷剤Ａを上下のハンガーラック４０の間から挿入して下側のハンガーラック４０の支持枠４５に掛けるのであるが、下側のハンガーラック４０の支持枠４５における水平枠４６の前端部の上方には、上側のハンガーラック４０の前枠４７の傾斜部４７Ｂとの間において手前側に広がったスペースＳが構成されるから、二つ折りしたマット状蓄冷剤Ａを挿入しひいては支持枠４５の水平枠４６に掛ける作業がしやすくなる。結果、蓄冷剤の収納時間が短縮できる。  
上記した挿入をしやすくするためのスペースＳを構成するのに、前枠４７に傾斜部４７Ｂを設けることで対応し、マット状蓄冷剤Ａを実際に掛ける水平枠４６の長さは大きく取るようにしたから、マット状蓄冷剤Ａをより安定して吊り下げ支持することができる。
【００３６】
＜実施形態２＞
図１８は、本発明の実施形態２を示す。実施形態２のハンガーラック４０Ｗでは、支持枠４５における前枠４７の下端部が円弧状部４７Ｃとされている。  
上下に並んだハンガーラック４０Ｗのうち下側のハンガーラック４０Ｗの支持枠４５における水平枠４６の前端部の上方には、上側のハンガーラック４０Ｗの前枠４７の円弧状部４７Ｃとの間において手前側に広がったスペースＳが構成される。同様に、二つ折りしたマット状蓄冷剤Ａを挿入しひいては支持枠４５の水平枠４６に掛ける作業がしやすくなる。
【００３７】
＜実施形態３＞
図１９は、本発明の実施形態３を示す。実施形態３のハンガーラック４０Ｘでは、支持枠４５における前枠４７の上端と水平枠４６の前端とが交差する角部が、面取りを施すように傾斜部４７Ｄとなっている。同じく支持枠４５における水平枠４６の前方に手前側に広がったスペースＳが構成される。  
なお、傾斜部４７Ｄは、上記よりも緩やか勾配で奥行の長い形状としてもよく、また円弧状部としてもよい。
【００３８】
＜実施形態４＞
本発明の実施形態４を、図２０及び図２１によって説明する。  
蓄冷剤は凍結されるとゲル化剤が体積膨張して厚さが増した硬いものとなる。そのため、上記実施形態１に例示したように、マット状蓄冷剤Ａがハンガーラック４０の支持枠４５の水平枠４６に吊り下げられて凍結された場合、特に奥側に支持されたマット状蓄冷剤Ａでは、両側に振り分けられた部分の対向面が互いに接近する方向に張り出した状態となり、そうすると、その奥側のマット状蓄冷剤Ａを水平枠４６に沿って引き出す場合に、同マット状蓄冷剤Ａが支持枠４５の前枠４７に引っ掛かるおそれがある。  
この実施形態４のハンガーラック４０Ｙでは、支持枠４５における前枠４７の傾斜部４７Ｂの後枠４８との間に、規制バー７０が水平方向に差し渡されて溶接で固定されている。
【００３９】
このようなハンガーラック４０の支持枠４５に二つ折りされたマット状蓄冷剤Ａが吊り下げられた場合、同蓄冷剤Ａにおける両側に振り分けられた部分の下側部分の対向面の間に規制バー７０が入った状態となって、対向面が互いに接近する方向に張り出すことが規制される。言い換えると、両側に振り分けられた部分が前枠４７に対して正面から視た左右両側に外れた位置に留められ、凍結したマット状蓄冷剤Ａは、規制バー７０に沿うようにして前枠４７に引っ掛かることなくスムーズに引き出される。  
また、マット状蓄冷剤Ａにおける両側に振り分けられた部分の間に隙間が確保され、同隙間にも冷気が流通して、凍結速度が速められる。
【００４０】
＜実施形態５＞
図２２及び図２３は、実施形態５を示す。  
マット状蓄冷剤Ａ１の形態として、短冊状の蓄冷部材ａを３個連結した三連式のものがあり、その場合は、同マット状蓄冷剤Ａ１は、図２３に示すように、一方に２個の蓄冷部材ａが、他方に１個の蓄冷部材ａが来るように振り分けられて吊り下げられる。  
この実施形態５のハンガーラック４０Ｚでは、上記のような支持形態を睨み、支持枠４５における前枠４７の垂下部４７Ａのほぼ中央高さ位置と、後枠４８との間に、規制バー７１が水平方向に差し渡されて溶接で固定されている。
【００４１】
このようなハンガーラック４０Ｚの支持枠４５に三連式のマット状蓄冷剤Ａ１が吊り下げられた場合、図２３に示すように、両側に振り分けられて対向した部分の間に規制バスバー７１が入った状態となって、対向面が互いに接近する方向に張り出すことが規制され、同様に両側に振り分けられた部分が前枠４７に対して正面から視た左右両側に外れた位置に留められる。そのため凍結したマット状蓄冷剤Ａ１は、同じく規制バー７１に沿うようにして前枠４７に引っ掛かることなくスムーズに引き出される。
【００４２】
この実施形態５のハンガーラック４０Ｚは、短冊状の蓄冷部材ａを２個連結した二連式のマット状蓄冷剤を吊り下げて支持する場合にも、同マット状蓄冷剤を前枠４７に引っ掛けることなくスムーズに取り出すことに同様に有効となる。  
なお、ハンガーラック４０Ｚに対して、上記実施形態４に例示した規制バー７０を併せて設けるようにしてもよい。
【００４３】
＜他の実施形態＞
本発明は上記記述及び図面によって説明した実施形態に限定されるものではなく、例えば次のような実施形態も本発明の技術的範囲に含まれる。  
（１）上記実施形態では、ハンガーラックの支持枠に対して、マット状蓄冷剤が奥側と手前側の二列に亘って吊り下げ支持される場合を例示したが、同マット状蓄冷剤の大きさによって三列以上に並べたり、一列のみとする場合であってもよい。  
（２）ハンガーラックに支持されるシート状の蓄冷剤は、短冊状の蓄冷部材を複数個連ねたマット状蓄冷剤に限らず、１枚の大きな蓄冷剤等、要は二つ折りして吊り下げ支持可能な形態のものであればよい。
【符号の説明】
【００４４】
Ａ，Ａ１…マット状蓄冷剤（シート状の蓄冷剤）  ａ…蓄冷部材  Ｓ…スペース  １０…凍結庫  １２…凍結室  ３０…棚柱  ４０，４０Ｗ，４０Ｘ，４０Ｙ，４０Ｚ…ハンガーラック  ４１…本体枠  ４５…支持枠  ４６…水平枠  ４７…前枠  ４７Ａ…垂下部  ４７Ｂ…傾斜部（面取形状）  ４７Ｃ…円弧形部（面取形状）  ４７Ｄ…傾斜部（面取形状）  ４８…後枠  ７０，７１…規制バー
【図１】
0005722099.tif 000002
【図２】
0005722099.tif 000003
【図３】
0005722099.tif 000004
【図４】
0005722099.tif 000005
【図５】
0005722099.tif 000006
【図６】
0005722099.tif 000007
【図７】
0005722099.tif 000008
【図８】
0005722099.tif 000009
【図９】
0005722099.tif 000010
【図１０】
0005722099.tif 000011
【図１１】
0005722099.tif 000012
【図１２】
0005722099.tif 000013
【図１３】
0005722099.tif 000014
【図１４】
0005722099.tif 000015
【図１５】
0005722099.tif 000016
【図１６】
0005722099.tif 000017
【図１７】
0005722099.tif 000018
【図１８】
0005722099.tif 000019
【図１９】
0005722099.tif 000020
【図２０】
0005722099.tif 000021
【図２１】
0005722099.tif 000022
【図２２】
0005722099.tif 000023
【図２３】
0005722099.tif 000024